(57)【要約】【課題】ドラムカートリッジが本体筐体に装着されやすい画像形成装置を提供する。【解決手段】画像形成装置は、本体筐体２と、ドラムカートリッジと、現像カートリッジとを備える。本体筐体２は、開口２２Ａから本体筐体２の内部に向かう第１方向に延びるスロット２２Ｂを有する。ドラムカートリッジおよび現像カートリッジは、第１方向において開口を介してスロット２２Ｂに装着可能である。本体筐体２は、第１方向に延びてドラムカートリッジを案内するためのドラムガイド溝２４を有する。ドラムカートリッジは、第１方向に延びてドラムガイド溝に嵌るドラム突起を有する。第２方向におけるドラムガイド溝２４の幅は、開口２２Ａから本体筐体２の内部に向かうにつれて狭くなる。第２方向におけるドラム突起の幅は、ドラムカートリッジがスロット２２Ｂに装着された状態において、開口２２Ａから本体筐体２の内部に向かうにつれて狭くなる。【選択図】図２
2020140199.tif 000002
【特許請求の範囲】
【請求項１】
開口を有する本体筐体であって、前記開口から前記本体筐体の内部に向かう第１方向に延びるスロットを有する本体筐体と、
前記第１方向に延びる第１軸について回転可能な感光ドラムを有するドラムカートリッジであって、前記第１方向において前記開口を介して前記スロットに装着可能なドラムカートリッジと、
前記第１方向に延びる第２軸について回転可能な現像ローラを有する現像カートリッジであって、前記第１方向において前記開口を介して前記スロットに装着可能な現像カートリッジであり、前記ドラムカートリッジおよび前記現像カートリッジが前記スロットに装着された状態において、前記第１方向と交差する第２方向において前記ドラムカートリッジと並ぶ現像カートリッジと、を備える画像形成装置であって、
前記本体筐体は、前記第１方向に延びて前記現像カートリッジを案内するための現像ガイド溝を有し、
前記現像カートリッジは、前記第１方向に延びて前記現像ガイド溝に嵌る現像突起を有し、
前記第２方向における前記現像ガイド溝の幅が、前記開口から前記本体筐体の内部に向かうにつれて狭くなることを特徴とする画像形成装置。
【請求項２】
前記第２方向における前記現像突起の幅が、前記現像カートリッジが前記スロットに装着された状態において、前記開口から前記本体筐体の内部に向かうにつれて狭くなることを特徴とする請求項１に記載の画像形成装置。
【請求項３】
前記現像カートリッジは、第１色の現像剤を収容する第１現像カートリッジと、前記第１色とは異なる第２色の現像剤を収容する第２現像カートリッジと、を含み、
前記現像ガイド溝は、
前記第１現像カートリッジを案内する第１現像ガイド溝と、第２現像カートリッジを案内する第２現像ガイド溝と、を含み、
前記第２方向における前記第１現像ガイド溝の長さは、前記第２方向における前記第２現像ガイド溝の長さとは異なることを特徴とする請求項１または請求項２に記載の画像形成装置。
【請求項４】
前記本体筐体は、前記第１方向に延びて前記ドラムカートリッジを案内するためのドラムガイド溝を有し、
前記ドラムカートリッジは、前記第１方向に延びて前記ドラムガイド溝に嵌るドラム突起を有することを特徴とする請求項１から請求項３のいずれか１項に記載の画像形成装置。
【請求項５】
前記ドラムガイド溝は、テーパー形状を有することを特徴とする請求項４に記載の画像形成装置。
【請求項６】
前記ドラム突起は、テーパー形状を有することを特徴とする請求項４または請求項５に記載の画像形成装置。
【請求項７】
前記現像カートリッジは、第１色の現像剤を収容する第１現像カートリッジと、前記第１色とは異なる第２色の現像剤を収容する第２現像カートリッジと、を含み、
前記ドラムカートリッジは、前記第１現像カートリッジと対応する第１ドラムカートリッジと、前記第２現像カートリッジと対応する第２ドラムカートリッジと、を含み、
前記ドラムガイド溝は、
前記第１ドラムカートリッジをガイドする第１ドラムガイド溝と、前記第２ドラムカートリッジをガイドする第２ドラムガイド溝と、を含み、
前記第２方向における前記第１ドラムガイド溝の長さは、前記第２方向における前記第２ドラムガイド溝の長さと同じであることを特徴とする請求項４から請求項６のいずれか１項に記載の画像形成装置。
【請求項８】
前記本体筐体は、
前記開口を開閉するカバーと、
前記カバーが閉位置に位置する状態において、前記第１方向において前記カバーと離れて位置する側壁と、を有し、
前記側壁は、
第１突起を有し、
前記ドラムカートリッジは、
前記ドラムカートリッジが前記本体筐体に装着された状態において、前記第１突起が嵌るドラム長穴を有することを特徴とする請求項１から請求項７のいずれか１項に記載の画像形成装置。
【請求項９】
前記本体筐体は、
前記開口を開閉するカバーと、
前記カバーが閉位置に位置する状態において、前記第１方向において前記カバーと離れて位置する側壁と、を有し、
前記側壁は、
第１長穴を有し、
前記ドラムカートリッジは、
前記ドラムカートリッジが前記本体筐体に装着された状態において、前記第１長穴に嵌るドラム突起を有することを特徴とする請求項１から請求項７のいずれか１項に記載の画像形成装置。
【請求項１０】
前記側壁は、
第２突起を有し、
前記現像カートリッジは、
前記現像カートリッジが前記本体筐体に装着された状態において、前記第２突起が嵌る現像長穴を有することを特徴とする請求項９に記載の画像形成装置。
【請求項１１】
前記側壁は、
第２長穴を有し、
前記現像カートリッジは、
前記現像カートリッジが前記本体筐体に装着された状態において、前記第２長穴に嵌る現像突起を有することを特徴とする請求項９または請求項１０に記載の画像形成装置。
【請求項１２】
前記ドラムカートリッジおよび前記現像カートリッジが前記本体筐体に装着された状態において、前記ドラムカートリッジおよび前記現像カートリッジよりも上方に位置する中間転写ベルトを備えることを特徴とする請求項１から請求項１１のいずれか１項に記載の画像形成装置。
【請求項１３】
前記中間転写ベルトの上方に位置する排紙部を備えることを特徴とする請求項１２に記載の画像形成装置。
【発明の詳細な説明】
【技術分野】
【０００１】
本開示は、本体筐体に着脱可能なドラムカートリッジおよび現像カートリッジを備える画像形成装置に関する。
【背景技術】
【０００２】
従来、本体筐体にドラムカートリッジおよび現像カートリッジを個別に着脱可能な画像形成装置が知られている（特許文献１参照）。この技術では、ドラムカートリッジおよび現像カートリッジは、感光ドラムの軸方向に着脱可能となっている。本体筐体は、ドラムカートリッジおよび現像カートリッジが挿入されることを許容する開口と、ドラムカートリッジおよび現像カートリッジが装着されるスロットとを有している。
また、スロットは、着脱時にドラムカートリッジを案内するガイド部と、着脱時に現像カートリッジを案内するガイド部とを備えている。
【先行技術文献】
【特許文献】
【０００３】
【特許文献１】特開２０１７−１７３８０５号公報
【発明の概要】
【発明が解決しようとする課題】
【０００４】
特許文献１に開示された構成では、ドラムカートリッジおよび現像カートリッジをそれぞれスロットに装着することになるため、ドラムカートリッジと現像カートリッジを一体としたプロセスカートリッジを本体筐体のスロットに装着する構成と比較すると、ガイド部の個数が増加するとともに、各ガイド部の幅や隣接するガイド部どうしの間隔が狭くなっている。
このような構成では、ユーザは、ドラムカートリッジおよび現像カートリッジを本体筐体のスロットに装着し難くなる。
【０００５】
そこで、本発明は、ガイド部の幅が狭くなった場合でも、ドラムカートリッジが本体筐体に装着されやすい画像形成装置を提供することを目的とする。
【課題を解決するための手段】
【０００６】
前記課題を解決するため、本発明に係る画像形成装置は、開口を有する本体筐体であって、前記開口から前記本体筐体の内部に向かう第１方向に延びるスロットを有する本体筐体と、前記第１方向に延びる第１軸について回転可能な感光ドラムを有するドラムカートリッジであって、前記第１方向において前記開口を介して前記スロットに装着可能なドラムカートリッジと、前記第１方向に延びる第２軸について回転可能な現像ローラを有する現像カートリッジであって、前記第１方向において前記開口を介して前記スロットに装着可能な現像カートリッジと、を備える。前記現像カートリッジは、前記ドラムカートリッジおよび前記現像カートリッジが前記スロットに装着された状態において、前記第１方向と交差する第２方向において前記ドラムカートリッジと並ぶ。
前記本体筐体は、前記第１方向に延びて前記ドラムカートリッジを案内するためのドラムガイド溝、または、ドラムガイド突起を有する。
前記ドラムカートリッジは、前記第１方向に延びて前記ドラムガイド溝に嵌るドラム突起、または、前記第１方向に延びて前記ドラムガイド突起が嵌るドラム溝を有する。
前記本体筐体が前記ドラムガイド溝を有する場合、前記第２方向における前記ドラムガイド溝の幅が、前記開口から前記本体筐体の内部に向かうにつれて狭くなる、または、前記第２方向における前記ドラム突起の幅が、前記ドラムカートリッジが前記スロットに装着された状態において、前記開口から前記本体筐体の内部に向かうにつれて狭くなる。
前記本体筐体が前記ドラムガイド突起を有する場合、前記第２方向における前記ドラムガイド突起の幅が、前記開口から前記本体筐体の内部に向かうにつれて広くなる、または、前記第２方向における前記ドラム溝の幅が、前記ドラムカートリッジが前記スロットに装着された状態において、前記開口から前記本体筐体の内部に向かうにつれて広くなる。
【０００７】
この構成によれば、本体筐体がドラムガイド溝を有する場合、ドラムカートリッジは、ドラムガイド溝に嵌るドラム突起を有し、ドラムカートリッジがスロットに装着された状態において、第２方向におけるドラム突起の幅は、装着方向先端（開口から離れた端部）側で、第２方向におけるドラムガイド溝の最小幅と略等しくなっている。そして、第２方向におけるドラムガイド溝の幅が、開口から本体筐体の内部に向かうにつれて狭くなっているか、或いは、第２方向におけるドラム突起の幅が、開口から本体筐体の内部に向かうにつれて狭くなっている。
また、本体筐体がドラムガイド突起を有する場合、ドラムカートリッジは、ドラムガイド突起が嵌るドラム溝を有し、ドラムカートリッジがスロットに装着された状態において、第２方向におけるドラム溝の幅は、装着方向先端側で、第２方向におけるドラムガイド突起の最大幅と略等しくなっている。そして、第２方向におけるドラムガイド突起の幅が、開口から本体筐体の内部に向かうにつれて広くなっているか、或いは、第２方向におけるドラム溝の幅が、開口から本体筐体の内部に向かうにつれて広くなっている。
このように、ドラムガイド溝の開口側の幅が、ドラム突起の装着方向先端側の幅よりも大きいことにより、ドラムカートリッジがスロットに装着されやすくなる。同様に、ドラムガイド突起の開口側の幅が、ドラム溝の装着方向先端側の幅よりも小さいことにより、ドラムカートリッジがスロットに装着されやすくなる。
【０００８】
前記した画像形成装置において、前記本体筐体は、前記ドラムガイド溝を有し、前記ドラムカートリッジは、前記ドラム突起を有し、前記第２方向における前記ドラムガイド溝の幅は、前記開口から前記本体筐体の内部に向かうにつれて狭くなっていてもよい。
この構成において、前記第２方向における前記ドラム突起の幅は、前記ドラムカートリッジが前記スロットに装着された状態において、前記開口から前記本体筐体の内部に向かうにつれて狭くなっていてもよい。
【０００９】
前記した画像形成装置において、前記ドラムガイド溝は、テーパー形状を有していてもよい。
この構成において、前記ドラム突起は、テーパー形状を有していてもよい。
【００１０】
これによれば、テーパー形状を有することにより、ドラムカートリッジのスロットへの装着をより円滑に行うことができる。
【００１１】
前記した画像形成装置において、前記本体筐体は、前記第１方向に延びて前記現像カートリッジを案内するための現像ガイド溝、または、現像ガイド突起を有していてもよい。
そして、前記現像カートリッジは、前記第１方向に延びて前記現像ガイド溝に嵌る現像突起、または、前記第１方向に延びて前記現像ガイド突起が嵌る現像溝を有していてもよい。
前記本体筐体が前記現像ガイド溝を有する場合、前記第２方向における前記現像ガイド溝の幅が、前記開口から前記本体筐体の内部に向かうにつれて狭くなる、または、前記第２方向における前記現像突起の幅が、前記現像カートリッジが前記スロットに装着された状態において、前記開口から前記本体筐体の内部に向かうにつれて狭くなる。
前記本体筐体が前記現像ガイド突起を有する場合、前記第２方向における前記現像ガイド突起の幅が、前記開口から前記本体筐体の内部に向かうにつれて広くなる、または、前記第２方向における前記現像溝の幅が、前記現像カートリッジが前記スロットに装着された状態において、前記開口から前記本体筐体の内部に向かうにつれて広くなる。
【００１２】
この構成によれば、本体筐体が現像ガイド溝を有する場合、ドラムカートリッジは、現像ガイド溝に嵌る現像突起を有し、ドラムカートリッジがスロットに装着された状態において、第２方向における現像突起の幅は、装着方向先端（開口から離れた端部）側で、第２方向における現像ガイド溝の最小幅と略等しくなっている。そして、第２方向における現像ガイド溝の幅が、開口から本体筐体の内部に向かうにつれて狭くなっているか、或いは、第２方向における現像突起の幅が、開口から本体筐体の内部に向かうにつれて狭くなっている。
また、本体筐体が現像ガイド突起を有する場合、現像カートリッジは、現像ガイド突起が嵌る現像溝を有し、現像カートリッジがスロットに装着された状態において、第２方向における現像溝の幅は、装着方向先端側で、第２方向における現像ガイド突起の最大幅と略等しくなっている。そして、第２方向における現像ガイド突起の幅が、開口から本体筐体の内部に向かうにつれて広くなっているか、或いは、第２方向における現像溝の幅が、開口から本体筐体の内部に向かうにつれて広くなっている。
このように、現像ガイド溝の開口側の幅が、現像突起の装着方向先端側の幅よりも大きいことにより、現像カートリッジがスロットに装着されやすくなる。同様に、現像ガイド突起の開口側の幅が、現像溝の装着方向先端側の幅よりも小さいことにより、現像カートリッジがスロットに装着されやすくなる。
【００１３】
前記した画像形成装置において、前記本体筐体は、前記現像ガイド突起を有し、前記現像カートリッジは、前記現像溝を有し、前記第２方向における前記現像ガイド突起の幅は、前記開口から前記本体筐体の内部に向かうにつれて広くなっていてもよい。
この構成において、前記第２方向における前記現像溝の幅は、前記現像カートリッジが前記スロットに装着された状態において、前記開口から前記本体筐体の内部に向かうにつれて広くなっていてもよい。
【００１４】
前記した画像形成装置において、前記現像ガイド突起は、テーパー形状を有していてもよい。
この構成において、前記現像溝は、テーパー形状を有していてもよい。
【００１５】
これによれば、テーパー形状を有することにより、現像カートリッジのスロットへの装着をより円滑に行うことができる。
【００１６】
前記した画像形成装置は、前記ドラムカートリッジおよび前記現像カートリッジが前記本体筐体に装着された状態において、前記ドラムカートリッジおよび前記現像カートリッジよりも上方に位置する中間転写ベルトを備えていてもよい。
前記本体筐体は、前記ドラムカートリッジを案内するためのドラムガイド面であって、前記第２方向において前記ドラムガイド溝または前記ドラムガイド突起と並ぶドラムガイド面を有していてもよい。前記ドラムカートリッジは、前記ドラムカートリッジが前記スロットに装着された状態において、前記ドラムガイド面と接触するドラム接触面を有していてもよい。
そして、前記ドラムガイド面は、前記開口から前記本体筐体の内部に向かうにつれて前記中間転写ベルトに近づくように構成されていてもよい。
【００１７】
これによれば、本体筐体の開口側でドラムガイド面と中間転写ベルトの距離が大きくなるので、ドラムカートリッジをスロットに装着する際、感光ドラムが中間転写ベルトにぶつかり難い位置からドラムカートリッジを挿入することができる。
【００１８】
前記した画像形成装置において、前記ドラム接触面は、前記ドラムカートリッジが前記スロットに装着された状態において、前記開口から前記本体筐体の内部に向かうにつれて前記中間転写ベルトに近づくように構成してもよい。
【００１９】
前記した画像形成装置において、前記本体筐体は、前記現像カートリッジを案内するための現像ガイド面であって、前記第２方向において前記現像ガイド溝または前記現像ガイド突起と並ぶ現像ガイド面を有していてもよい。前記現像カートリッジは、前記現像カートリッジが前記スロットに装着された状態において、前記現像ガイド面と接触する現像接触面を有していてもよい。
そして、前記現像ガイド面は、前記開口から前記本体筐体の内部に向かうにつれて前記中間転写ベルトに近づくように構成されていてもよい。
【００２０】
これによれば、本体筐体の開口側で現像ガイド面と中間転写ベルトの距離が大きくなるので、現像カートリッジをスロットに装着する際、中間転写ベルトにぶつかり難い位置から現像カートリッジを挿入することができる。
【００２１】
前記した画像形成装置において、前記現像接触面は、前記現像カートリッジが前記本体筐体に装着された状態において、前記開口から前記本体筐体の内部に向かうにつれて前記中間転写ベルトに近づくように構成されていてもよい。
【００２２】
前記した画像形成装置において、前記現像カートリッジは、第１色の現像剤を収容する第１現像カートリッジと、前記第１色とは異なる第２色の現像剤を収容する第２現像カートリッジと、を含んでいてもよい。
前記本体筐体が前記現像ガイド溝を有する場合、前記現像ガイド溝は、前記第１現像カートリッジを案内する第１現像ガイド溝と、第２現像カートリッジを案内する第２現像ガイド溝と、を含み、前記第２方向における前記第１現像ガイド溝の長さは、前記第２方向における前記第２現像ガイド溝の長さとは異なっていてもよい。
また、前記本体筐体が前記現像ガイド突起を有する場合、前記現像ガイド突起は、前記第１現像カートリッジを案内する第１現像ガイド突起と、第２現像カートリッジを案内する第２現像ガイド突起と、を含み、前記第２方向における前記第１現像ガイド突起の長さは、前記第２方向における前記第２現像ガイド突起の長さとは異なっていてもよい。
【００２３】
これによれば、現像カートリッジの異なる色に対応して、現像ガイド溝または現像ガイド突起の第２方向における幅が異なるため、現像カートリッジの差し間違いを防止することができる。
【００２４】
前記した画像形成装置において、前記現像カートリッジは、第１色の現像剤を収容する第１現像カートリッジと、前記第１色とは異なる第２色の現像剤を収容する第２現像カートリッジと、を含んでいてもよい。前記ドラムカートリッジは、前記第１現像カートリッジと対応する第１ドラムカートリッジと、前記第２現像カートリッジと対応する第２ドラムカートリッジと、を含んでいてもよい。
前記本体筐体が前記ドラムガイド溝を有する場合、前記ドラムガイド溝は、前記第１ドラムカートリッジをガイドする第１ドラムガイド溝と、前記第２ドラムカートリッジをガイドする第２ドラムガイド溝と、を含み、前記第２方向における前記第１ドラムガイド溝の長さは、前記第２方向における前記第２ドラムガイド溝の長さと同じであってもよい。
また、前記本体筐体が前記ドラムガイド突起を有する場合、前記ドラムガイド突起は、前記第１ドラムカートリッジをガイドする第１ドラムガイド突起と、前記第２ドラムカートリッジをガイドする第２ドラムガイド突起と、を含み、前記第２方向における前記第１ドラムガイド突起の長さは、前記第２方向における前記第２ドラムガイド突起の長さと同じであってもよい。
【００２５】
これによれば、共通のドラムカートリッジを複数の現像カートリッジに対応して使用することができるので、製造コストを削減することができる。
【００２６】
前記した画像形成装置において、前記本体筐体は、前記開口を開閉するカバーと、前記カバーが閉位置に位置する状態において、前記第１方向において前記カバーと離れて位置する側壁と、を有し、前記側壁は、第１突起または第１長穴と、第２突起または第２長穴と、を有していてもよい。
そして、前記ドラムカートリッジは、前記ドラムカートリッジが前記本体筐体に装着された状態において、前記第１突起が嵌るドラム長穴、または、前記第１長穴に嵌るドラム突起を有し、前記現像カートリッジは、前記現像カートリッジが前記本体筐体に装着された状態において、前記第２突起が嵌る現像長穴、または、前記第２長穴に嵌る現像突起を有する構成としてもよい。
【００２７】
これによれば、ドラムカートリッジと現像カートリッジを中間転写ベルトに対して接触・離間させることができる。
【００２８】
前記した画像形成装置において、前記ドラムカートリッジおよび前記現像カートリッジが前記本体筐体に装着された状態において、前記ドラムカートリッジおよび前記現像カートリッジよりも上方に中間転写ベルトが位置する構成としてもよい。
このような構成において、前記中間転写ベルトの上方に排紙部が位置していてもよい。
【発明の効果】
【００２９】
本発明によれば、ドラムカートリッジが本体筐体に装着されやすい画像形成装置を提供することができる。
【図面の簡単な説明】
【００３０】
【図１】本発明の一実施形態に係るカラープリンタの概略構成を示す断面図である。
【図２】本体筐体のカバーを開けた状態を示す斜視図であり、ドラムカートリッジおよび現像カートリッジをスロットから取り外した状態を示す
【図３】ドラムカートリッジの斜視図（ａ）と、ドラムカートリッジの正面図（ｂ）と、ドラムカートリッジの底面図（ｃ）である。
【図４】現像カートリッジの斜視図（ａ）と、現像カートリッジの正面図（ｂ）と、現像カートリッジの底面図（ｃ）である。
【図５】スロットのドラムガイド溝および現像ガイド突起と、ドラムカートリッジのドラム突起および現像カートリッジの現像溝との関係を説明する説明図である。
【図６】ドラムカートリッジを本体筐体のスロットに装着する状態を説明する説明図である。
【図７】現像カートリッジを本体筐体のスロットに装着する状態を説明する説明図である。
【図８】ドラムガイド溝および現像ガイド突起と、ドラム突起および現像溝との関係を説明する第１変形例に係る説明図である。
【図９】ドラムガイド溝および現像ガイド突起と、ドラム突起および現像溝との関係を説明する説明図であり、第２変形例に係る説明図（ａ）と、第３変形例に係る説明図（ｂ）と、第４変形例に係る説明図（ｃ）である。
【図１０】ドラムガイド溝および現像ガイド突起と、ドラム突起および現像溝との関係を説明する説明図であり、第５変形例に係る説明図（ａ）と、第６変形例に係る説明図（ｂ）である。
【発明を実施するための形態】
【００３１】
次に、本発明の一実施形態について、適宜図面を参照しながら詳細に説明する。なお、以下の説明においては、まず、画像形成装置の一例としてのカラープリンタ１の全体構成を説明する。
以下の説明において、方向は、図１に示す方向で説明する。すなわち、図１の左側を「前」とし、図１の右側を「後」とし、図１の紙面手前側を「右」とし、図１の紙面奥側を「左」とする。また、図１の上下を「上下」とする。
【００３２】
図１に示すように、カラープリンタ１は、本体筐体２と、給紙部３と、画像形成部４と、排紙部５と、を備える。給紙部３は、画像形成部４に用紙Ｐを供給する。画像形成部４は、用紙Ｐに画像を形成する。排紙部５は、用紙Ｐを排出する。
【００３３】
給紙部３は、本体筐体２内の下部に位置する。給紙部３は、給紙トレイ３１と、給紙機構３２と、を備える。給紙トレイ３１は、本体筐体２に着脱可能である。給紙機構３２は、用紙Ｐを給紙トレイ３１から画像形成部４に搬送する。
【００３４】
画像形成部４は、４つのドラムカートリッジ４０と、４つの現像カートリッジ５０と、露光装置ＳＵと、転写ユニット６０と、定着ユニット７０と、を備える。
画像形成部４は、４つのドラムカートリッジ４０と、４つの現像カートリッジ５０と、露光装置ＳＵと、転写ユニット６０が、本体筐体２の前方から後方へ向かうにつれて下方に位置するように傾斜して配置されている。
【００３５】
各ドラムカートリッジ４０は、感光ドラム４１と、図示せぬ帯電器と、ドラムフレームＰＦを有する。感光ドラム４１は、第１方向に延びる第１軸Ｘ１について回転可能である。４つのドラムカートリッジ４０は、本体筐体２に装着された状態で、第１方向に直交する第２方向に並ぶ。
本実施形態では、画像形成部４は、４つのドラムカートリッジ４０を備えている。４つのドラムカートリッジ４０は、ブラック用（Ｋ）、イエロー用（Ｙ）、マゼンタ用（Ｍ）およびシアン用（Ｃ）の各色のトナーに対応している。４つのドラムカートリッジ４０は、中間転写ベルト６３の各感光ドラム４１と接触する面が移動する移動方向の上流側から下流側に向けて（カラープリンタ１の前方から後方に向けて）ブラック用（Ｋ）、イエロー用（Ｙ）、マゼンタ用（Ｍ）、シアン用（Ｃ）の順に並んで配置されている。
以下の説明では、トナーの色に対応したドラムカートリッジ４０を特定する場合には、ブラック、イエロー、マゼンタ、シアンのそれぞれに対応させて、符合４０の後にＫ、Ｙ、Ｍ、Ｃの記号を付することとする。
【００３６】
各現像カートリッジ５０は、現像ローラ５１と、現像フレームＤＦと、を有する。現像フレームＤＦは、現像剤を収容する。現像ローラ５１は、第１方向に延びる第２軸Ｘ２について回転可能である。４つの現像カートリッジ５０は、本体筐体２に装着された状態で、第２方向に並ぶ。
４つのドラムカートリッジ４０および４つの現像カートリッジ５０が本体筐体２に装着された状態において、各現像カートリッジ５０は、各ドラムカートリッジ４０と第２方向において並ぶ。
本実施形態では、画像形成部４は、４つの現像カートリッジ５０備えている。４つの現像カートリッジ５０は、ブラック用（Ｋ）、イエロー用（Ｙ）、マゼンタ用（Ｍ）およびシアン用（Ｃ）の各色のトナーに対応している。４つの現像カートリッジ５０は、中間転写ベルト６３の各感光ドラム４１と接触する面が移動する移動方向の上流側から下流側に向けて（カラープリンタ１の前方から後方に向けて）ブラック用（Ｋ）、イエロー用（Ｙ）、マゼンタ用（Ｍ）、シアン用（Ｃ）の順に並んで配置されている。
以下の説明では、トナーの色に対応した現像カートリッジ５０を特定する場合には、ブラック、イエロー、マゼンタ、シアンのそれぞれに対応させて、符合５０の後にＫ、Ｙ、Ｍ、Ｃの記号を付することとする。
【００３７】
露光装置ＳＵは、各ドラムカートリッジ４０の下に位置する。露光装置ＳＵは、レーザ光を各感光ドラム４１に出射する。
【００３８】
転写ユニット６０は、４つの感光ドラム４１と排紙トレイ２１との間に位置する。転写ユニット６０は、駆動ローラ６１と、従動ローラ６２と、中間転写ベルト６３と、４つの１次転写ローラ６４と、２次転写ローラ６５と、を備える。
【００３９】
中間転写ベルト６３は、無端状のベルトである。中間転写ベルト６３は、ドラムカートリッジ４０および現像カートリッジ５０が本体筐体２に装着された状態において、ドラムカートリッジ４０および現像カートリッジ５０よりも上方に位置する。
【００４０】
１次転写ローラ６４は、中間転写ベルト６３の内側に位置する。１次転写ローラ６４と感光ドラム４１は、中間転写ベルト６３を挟む。
【００４１】
２次転写ローラ６５は、中間転写ベルト６３の外側に位置する。２次転写ローラ６５と駆動ローラ６１は、中間転写ベルト６３を挟む。
【００４２】
定着ユニット７０は、中間転写ベルト６３の上に位置する。定着ユニット７０は、加熱ローラ７１と、加圧ローラ７２と、を備える。加圧ローラ７２は、加熱ローラ７１に押圧される。
【００４３】
排紙部５は、本体筐体２の上部に位置する。排紙部５は、中間転写ベルト６３の上方に位置する。排紙部５は、排出ローラ９と、排紙トレイ２１と、を備える。排出ローラ９は、用紙Ｐを排紙トレイ２１に向けて搬送する。
【００４４】
カラープリンタ１では、まず帯電器が、感光ドラム４１の表面を帯電させる。その後、露光装置ＳＵが、感光ドラム４１の表面を露光する。これにより、感光ドラム４１上に静電潜像が形成される。
【００４５】
次いで、現像ローラ５１が、感光ドラム４１上の静電潜像に現像剤を供給する。これにより、感光ドラム４１上に現像剤像が形成される。そして、感光ドラム４１上の現像剤像は、中間転写ベルト６３上に転写される。
【００４６】
用紙Ｐが中間転写ベルト６３と２次転写ローラ６５の間を通過するときに、中間転写ベルト６３上の現像剤像は、用紙Ｐ上に転写される。その後、用紙Ｐ上の現像剤像は、定着ユニット７０で定着される。次いで、用紙Ｐは、排出ローラ９によって排紙トレイ２１に排出される。
【００４７】
図２に示すように、本体筐体２は、開口２２Ａと、スロット２２Ｂと、カバーＣと、を有する。
開口２２Ａは、ドラムカートリッジ４０および現像カートリッジ５０を着脱する際に、各ドラムカートリッジ４０および各現像カートリッジ５０が通過することを許容する。
【００４８】
スロット２２Ｂは、開口２２Ａから本体筐体２の内部に向かう第１方向に延びている。スロット２２Ｂは、４つのドラムカートリッジ４０および４つの現像カートリッジ５０を収容するための空間である。
【００４９】
カバーＣは、開口２２Ａを開閉するための部材である。カバーＣは、カバーＣの下端を中心に回動する。カバーＣは、開口２２Ａを開放する開位置（図２に示す位置）と開口２２Ａを閉鎖する閉位置（図示せず）との間を移動可能である。
カバーＣは、各ドラムカートリッジ４０の後述するドラム長穴４３に嵌る第１突起Ｃ１と、各現像カートリッジ５０の後述する現像長穴５３に嵌る第２突起Ｃ２と、を有している。
【００５０】
本体筐体２は、側壁２Ａの内側に、第１突起Ｄ１と、第２突起Ｄ２と、を有している。第１突起Ｄ１は、各ドラムカートリッジ４０の後述するドラム長穴４３に嵌る。第２突起Ｄ２は、各現像カートリッジ５０の後述する現像長穴５３に嵌る。側壁２Ａは、カバーＣが閉位置に位置する状態において、第１方向においてカバーＣと離れて位置する側壁である。
第１突起Ｄ１および第２突起Ｄ２は、カバーＣが閉位置にあるとき、カバーＣの第１突起Ｃ１および第２突起Ｃ２と第１方向において向かい合う。
さらに、本体筐体２は、スロット２２Ｂの底部に、カートリッジ案内部２Ｂを備えている。
【００５１】
カートリッジ案内部２Ｂは、ドラムガイド溝２４と現像ガイド突起２６を有している。ドラムガイド溝２４と現像ガイド突起２６は、カートリッジ案内部２Ｂの上面に位置する。ドラムガイド溝２４と現像ガイド突起２６は、第２方向に４つずつ並んでいる（図５も参照）。
また、カートリッジ案内部２Ｂは、露光装置ＳＵからのレーザ光が通過する貫通穴（図示せず）を有している。
図５に示すように、各ドラムガイド溝２４は、第１方向に延びてドラムカートリッジ４０を案内するための溝である。ドラムガイド溝２４は、第２方向におけるドラムガイド溝２４の幅が、開口２２Ａから側壁２Ａ（すなわち本体筐体２の内部）に向かうにつれて狭くなっている。より詳細には、ドラムガイド溝２４は、溝を形成する両側の相対する側面が対称的に連続して傾斜するテーパー形状を有している。４つのドラムガイド溝２４Ｋ、２４Ｙ、２４Ｍ、２４Ｃは、同一形状を有している。
各現像ガイド突起２６は、第１方向に延びて現像カートリッジ５０を案内するための突起である。現像ガイド突起２６は、第２方向における現像ガイド突起２６の幅が、開口２２Ａから側壁２Ａ（すなわち本体筐体２の内部）に向かうにつれて広くなっている。より詳細には、現像ガイド突起２６は、突起を形成する両側の相対する側面が対称的に連続して傾斜するテーパー形状を有している。４つの現像ガイド突起２６Ｋ、２６Ｙ、２６Ｍ、２６Ｃは、同一形状を有している。
また、図２に示すように、カートリッジ案内部２Ｂの上面は、開口２２Ａから側壁２Ａ（すなわち本体筐体２の内部）に向かうにつれて中間転写ベルト６３に近づくように上方に傾斜している。
【００５２】
図５に示すように、カートリッジ案内部２Ｂの上面は、ドラムガイド面２５と現像ガイド面２７を有する。
ドラムガイド面２５は、ドラムガイド溝２４の両側に位置する。ドラムガイド面２５は、ドラムカートリッジ４０を案内するための面であり、第２方向においてドラムガイド溝２４と並んでいる。
上述したように、カートリッジ案内部２Ｂの上面は、中間転写ベルト６３に近づくように傾斜している。そのため、ドラムガイド面２５は、開口２２Ａから本体筐体２の内部に向かうにつれて中間転写ベルト６３に近づくように傾斜している。
現像ガイド面２７は、現像ガイド突起２６の両側に位置する。現像ガイド面２７は、現像カートリッジ５０を案内するための面であり、第２方向において現像ガイド突起２６と並んでいる。
上述したように、カートリッジ案内部２Ｂの上面は、中間転写ベルト６３に近づくように傾斜している。そのため、現像ガイド面２７は、開口２２Ａから本体筐体２の内部に向かうにつれて中間転写ベルト６３に近づくように傾斜している。
なお、図６に示すように、ドラムガイド溝２４の底面２４Ａは、中間転写ベルト６３の下面と平行になっている。一方、ドラムガイド面２５は、中間転写ベルト６３の下面に対して傾斜している。
同様に、図７に示すように、現像ガイド突起２６の上面２６Ａは、中間転写ベルト６３の下面と平行になっている。一方、現像ガイド面２７は、中間転写ベルト６３の下面に対して傾斜している。
【００５３】
ドラムカートリッジ４０および現像カートリッジ５０は、それぞれ独立して、本体筐体２に対して第１方向に着脱可能となっている。
詳細には、各ドラムカートリッジ４０は、第１方向において開口２２Ａを介してスロット２２Ｂに装着可能となっている。同様に、各現像カートリッジ５０は、第１方向において開口２２Ａを介してスロット２２Ｂに装着可能となっている。
４つのドラムカートリッジ４０は、同じ構造となっている。４つの現像カートリッジ５０は、同じ構造となっている。
【００５４】
図３に示すように、ドラムカートリッジ４０のドラムフレームＰＦは、ドラムカートリッジ４０がスロット２２Ｂに装着された状態において、第１方向で対向する第１ドラム側壁ＰＦ１および第２ドラム側壁ＰＦ２と、第２方向で対応する第３ドラム側壁ＰＦ３および第４ドラム側壁ＰＦ４と、底面を形成する第５ドラム側壁ＰＦ５を有している。
第１ドラム側壁ＰＦ１は、ドラムカートリッジ４０がスロット２２Ｂに装着された状態で、開口２２Ａに近い位置に位置する側壁である。第１ドラム側壁ＰＦ１は、カバーＣを閉位置に移動した状態で、カバーＣの第１突起Ｃ１が嵌るドラム長穴４３を有している。
第２ドラム側壁ＰＦ２は、ドラムカートリッジ４０が本体筐体２に装着された状態において、開口２２Ａから遠い位置に位置する側壁である。第２ドラム側壁ＰＦ２は、本体筐体２の第１突起Ｄ１が嵌るドラム長穴を有している。このドラム長穴は、ドラム長穴４３と同一形状を有するため、図示を省略する。
第１ドラム側壁ＰＦ１と第２ドラム側壁ＰＦ２は、感光ドラム４１を回転可能に支持している。
第３ドラム側壁ＰＦ３と第４ドラム側壁ＰＦ４は、それぞれ第１ドラム側壁ＰＦ１と第２ドラム側壁ＰＦ２を接続する。
【００５５】
第５ドラム側壁ＰＦ５は、第１ドラム側壁ＰＦ１、第２ドラム側壁ＰＦ２、第３ドラム側壁ＰＦ３および第４ドラム側壁ＰＦ４を接続する。
第５ドラム側壁ＰＦ５は、ドラムカートリッジ４０がスロット２２Ｂに装着された状態において、ドラムガイド面２５と接触するドラム接触面４５を有している。より詳細には、ドラム接触面４５は、ドラムカートリッジ４０がスロット２２Ｂに装着された状態において、開口２２Ａから本体筐体２の内部に向かうにつれて中間転写ベルト６３に近づくように傾斜している（図６参照）。なお、感光ドラム４１の第１軸Ｘ１に対するドラム接触面４５の傾斜角度は、中間転写ベルト６３の下面に対するドラムガイド面２５の傾斜角度と等しくなっている。そのため、ドラムカートリッジ４０がスロット２２Ｂに装着された状態では、ドラムガイド面２５とドラム接触面４５が接触し、感光ドラム４１と中間転写ベルト６３が平行になる。
また、第５ドラム側壁ＰＦ５は、ドラム接触面４５から突出するドラム突起４６を有している。ドラム突起４６は、第１方向に延びてドラムガイド溝２４に嵌るようになっている。第２方向におけるドラム突起４６の幅は、ドラムカートリッジ４０がスロット２２Ｂに装着された状態において、開口２２Ａから本体筐体２の内部に向かうにつれて狭くなっている。より詳細には、ドラム突起４６は、突起を形成する両側の相対する側面が対称的に連続して傾斜するテーパー形状を有している。ドラム突起４６の両側面は、ドラムカートリッジ４０がスロット２２Ｂに装着された状態において、ドラムガイド溝２４の両側壁と接触する。
なお、図３に示すように、ドラム突起４６の下面は、感光ドラム４１の第１軸Ｘ１に平行であるのに対して、ドラム接触面４５は、感光ドラム４１の第１軸Ｘ１に対して傾斜している。より詳細には、ドラム接触面４５は、ドラムカートリッジ４０がスロット２２Ｂに装着された状態において、開口２２Ａから本体筐体２の内部に向かうにつれて上方に傾斜している。
【００５６】
図４に示すように、現像カートリッジ５０の現像フレームＤＦは、現像カートリッジ５０がスロット２２Ｂに装着された状態において、第１方向で対向する第１現像側壁ＤＦ１および第２現像側壁ＤＦ２と、第２方向で対応する第３現像側壁ＤＦ３および第４現像側壁ＤＦ４と、底面を形成する第５現像側壁ＤＦ５を有している。
第１現像側壁ＤＦ１は、現像カートリッジ５０がスロット２２Ｂに装着された状態で、開口２２Ａに近い位置に位置する側壁である。第１現像側壁ＤＦ１は、カバーＣを閉位置に移動した状態で、カバーＣの第２突起Ｃ２が嵌る現像長穴５３を有している。
第２現像側壁ＤＦ２は、現像カートリッジ５０がスロット２２Ｂに装着された状態で、開口２２Ａから遠い位置に位置する側壁である。第２現像側壁ＤＦ２は、本体筐体２の第２突起Ｄ２が嵌る現像長穴を有している。この現像長穴は、現像長穴５３と同一形状を有するため、図示を省略する。
第１現像側壁ＤＦ１と第２現像側壁ＤＦ２は、現像ローラ５１を回転可能に支持している。
第３現像側壁ＤＦ３と第４現像側壁ＤＦ４は、それぞれ第１現像側壁ＤＦ１と第２現像側壁ＤＦ２を接続する。
【００５７】
第５現像側壁ＤＦ５は、第１現像側壁ＤＦ１、第２現像側壁ＤＦ２、第３現像側壁ＤＦ３および第４現像側壁ＤＦ４を接続する。
第５現像側壁ＤＦ５は、現像カートリッジ５０がスロット２２Ｂに装着された状態において、現像ガイド面２７と接触する現像接触面５５を有している。より詳細には、現像接触面５５は、現像カートリッジ５０が本体筐体２に装着された状態において、開口２２Ａから本体筐体２の内部に向かうにつれて中間転写ベルト６３に近づくように傾斜している（図７参照）。なお、現像ローラ５１の第２軸Ｘ２に対する現像接触面５５の傾斜角度は、中間転写ベルト６３の下面に対する現像ガイド面２７の傾斜角度と等しくなっている。そのため、現像カートリッジ５０がスロット２２Ｂに装着された状態では、現像ガイド面２７と現像接触面５５が接触し、現像ローラ５１と中間転写ベルト６３が平行になる。
また、第５現像側壁ＤＦ５は、現像接触面５５の現像溝５６を有している。現像溝５６は、現像カートリッジ５０がスロット２２Ｂに装着された状態において、第１方向に延びて現像ガイド突起２６に嵌るようになっている。第２方向における現像溝５６の幅は、現像カートリッジ５０がスロット２２Ｂに装着された状態において、開口２２Ａから本体筐体２の内部に向かうにつれて広くなっている。より詳細には、現像溝５６は、溝を形成する両側の相対する側面が対称的に連続して傾斜するテーパー形状を有している。現像溝５６の両側面は、現像カートリッジ５０がスロット２２Ｂに装着された状態において、現像ガイド突起２６の両側壁と接触する。
なお、図４に示すように、現像溝５６の上面は、現像ローラ５１の第２軸Ｘ２に平行であるのに対して、現像接触面５５は、現像ローラ５１の第２軸Ｘ２に対して傾斜している。より詳細には、現像接触面５５は、現像カートリッジ５０がスロット２２Ｂに装着された状態において、開口２２Ａから本体筐体２の内部に向かうにつれて上方に傾斜している。
【００５８】
次に、図６および図７を参照して、ドラムカートリッジ４０および現像カートリッジ５０を本体筐体２のスロット２２Ｂに装着する手順を説明する。
図２および図６に示すように、ドラムカートリッジ４０をスロット２２Ｂに装着する際は、カバーＣを開位置に移動させることで、開口２２Ａとスロット２２Ｂを露出させる。そして、カートリッジ案内部２Ｂのドラムガイド溝２４にドラム突起４６の先端を入れた後、そのままドラムカートリッジ４０を第１方向に挿入することでドラムカートリッジ４０が本体筐体２に装着される。このとき、ドラムガイド溝２４の開口２２Ａ側の幅が、ドラム突起４６の装着方向先端側の幅よりも大きいことにより、ドラムカートリッジ４０がスロット２２Ｂに装着されやすくなる。
ドラム突起４６の先端をドラムガイド溝２４に入れると、ドラム接触面４５がドラムガイド面２５と接触する。そして、ドラムカートリッジ４０を第１方向に挿入していくと、ドラム突起４６の先端部が、徐々に幅が狭くなるドラムガイド溝２４に案内されて、ドラムカートリッジ４０が本体筐体２内の正確な位置に装着される。
【００５９】
このような構成によると、ドラムカートリッジ４０を、第２ドラム側壁ＰＦ２側からドラムガイド溝２４に挿入することで、第２方向におけるドラム突起４６の幅が狭い端部が最初に挿入されて、ドラム突起４６の幅が広い端部が最後に挿入されることになる。一方、ドラム突起４６が嵌め込まれるドラムガイド溝２４は、第２方向における幅が開口２２Ａ側で最も広く、側壁２Ａ側で最も狭くなっている。そのため、ドラムカートリッジ４０は、入口（開口２２Ａ）側において、大きな寸法差に起因して本体筐体２に装着されやすくなる。
また、入口（開口２２Ａ）側でドラムガイド面２５と中間転写ベルト６３の距離が大きくなるので、ドラムカートリッジ４０を装着する際、感光ドラム４１と中間転写ベルト６３が接触して感光ドラム４１の表面が傷つくことを抑制できる。つまり、ドラムカートリッジ４０をスロット２２Ｂに装着する際、中間転写ベルト６３にぶつかり難い位置からドラムカートリッジ４０を挿入することができる。
【００６０】
図２および図７に示すように、現像カートリッジ５０をスロット２２Ｂに装着する際は、カバーＣを開位置に移動させることで、開口２２Ａとスロット２２Ｂを露出させる。そして、カートリッジ案内部２Ｂの現像ガイド突起２６に現像溝５６の先端を入れた後、そのままドラムカートリッジ４０を第１方向に挿入することで現像カートリッジ５０が本体筐体２に装着される。このとき、現像ガイド突起２６の開口２２Ａ側の幅が、現像溝５６の装着方向先端側の幅よりも小さいことにより、現像カートリッジ５０がスロット２２Ｂに装着されやすくなる。
現像溝５６の先端を現像ガイド突起２６に入れると、現像接触面５５が現像ガイド面２７と接触する。そして、現像カートリッジ５０を第１方向に挿入していくと、現像溝５６の先端部が、徐々に幅が広くなる現像ガイド突起２６に案内されて、現像カートリッジ５０が本体筐体２内の正確な位置に装着される。
【００６１】
このような構成によると、現像カートリッジ５０を、第２現像側壁ＤＦ２側からドラムガイド溝２４に挿入することで、第２方向における現像溝５６の幅が広い端部が最初に挿入されて、現像溝５６の幅が狭い端部が最後に挿入されることになる。一方、現像溝５６が嵌め込まれる現像ガイド突起２６は、第２方向における幅が開口２２Ａ側で最も狭く、側壁２Ａ側で最も広くなっている。そのため、現像カートリッジ５０は、入口（開口２２Ａ）側において、大きな寸法差に起因して本体筐体２に装着されやすくなる。
また、入口（開口２２Ａ）側で現像ガイド面２７と中間転写ベルト６３の距離が大きくなるので、現像カートリッジ５０を装着する際、現像ローラ５１と中間転写ベルト６３が接触して現像ローラ５１の表面が傷つくことを抑制できる。つまり、現像カートリッジ５０をスロット２２Ｂに装着する際、中間転写ベルト６３にぶつかり難い位置から現像カートリッジ５０を挿入することができる。
【００６２】
ドラムカートリッジ４０がスロット２２Ｂに装着されると、本体筐体２の側壁２Ａの第１突起Ｄ１が、ドラムカートリッジ４０の第２ドラム側壁ＰＦ２のドラム長穴に嵌る。
現像カートリッジ５０がスロット２２Ｂに装着されると、本体筐体２の側壁２Ａの第２突起Ｄ２が、現像カートリッジ５０の第２現像側壁ＤＦ２の現像長穴に嵌る。
そして、カバーＣを閉位置に移動すると、カバーＣの第１突起Ｃ１がドラムカートリッジ４０の第１ドラム側壁ＰＦ１のドラム長穴４３に嵌り、カバーＣの第２突起Ｃ２が現像カートリッジ５０の第１現像側壁ＤＦ１の現像長穴５３に嵌る。
この状態で、ドラム押圧部材８０（図１参照）を上昇させると、ドラムカートリッジ４０が上昇して、感光ドラム４１が中間転写ベルト６３と接触する。また、現像押圧部材（図示せず）を上昇させると、現像カートリッジ５０が上昇して、現像ローラ５１が感光ドラム４１に対して所定位置で接触する。
【００６３】
以上によれば、本実施形態において以下のような効果を得ることができる。
ドラムガイド溝２４の開口２２Ａ側の幅が、ドラム突起４６の装着方向先端側の幅よりも大きいことにより、ドラムカートリッジ４０がスロット２２Ｂに装着されやすくなる。
【００６４】
本体筐体２のドラムガイド溝２４がテーパー形状を有し、対応するドラムカートリッジ４０のドラム突起４６がテーパー形状を有することにより、ドラムカートリッジ４０のスロット２２Ｂへの装着をより円滑に行うことができる。
【００６５】
現像ガイド突起２６の開口側２２Ａの幅が、現像溝５６の装着方向先端側の幅よりも小さいことにより、現像カートリッジ５０がスロット２２Ｂに装着されやすくなる。
【００６６】
本体筐体２の現像ガイド突起２６がテーパー形状を有し、対応する現像カートリッジ５０の現像溝５６がテーパー形状を有することにより、現像カートリッジ５０のスロット２２Ｂへの装着をより円滑に行うことができる。
【００６７】
本体筐体２の開口２２Ａ側でドラムガイド面２５と中間転写ベルト６３の距離が大きくなるので、ドラムカートリッジ４０をスロット２２Ｂに装着する際、感光ドラム４１が中間転写ベルト６３にぶつかり難い位置からドラムカートリッジ４０を挿入することができる。
【００６８】
本体筐体２の開口２２Ａ側で現像ガイド面２７と中間転写ベルト６３の距離が大きくなるので、現像カートリッジ５０をスロット２２Ｂに装着する際、中間転写ベルト６３にぶつかり難い位置から現像カートリッジ５０を挿入することができる。
【００６９】
本体筐体２の側壁２Ａの第１突起Ｄ１と第２突起Ｄ２が、それぞれ、ドラムカートリッジ４０のドラム長穴および現像カートリッジ５０の現像長穴に嵌るので、ドラムカートリッジ４０と現像カートリッジ５０を中間転写ベルト６３に対して接触・離間させることができる。
【００７０】
以上、本発明の実施形態について説明したが、本発明は前記実施形態に限定されるものではない。具体的な構成については、本発明の趣旨を逸脱しない範囲で適宜変更が可能である。
【００７１】
前記実施形態では、ドラムガイド溝２４と現像ガイド突起２６が、カートリッジ案内部２Ｂの上面に位置していたが、本発明はこのような構成に限定されない。
例えば、本体筐体２は、ドラムガイド溝２４に代えてドラムガイド突起を有し、現像ガイド突起２６に代えて現像ガイド溝を有する構成とすることもできる。この場合、ドラムカートリッジ４０は、ドラムカートリッジ４０がスロット２２Ｂに装着された状態において、第１方向に延びてドラムガイド突起が嵌るドラム溝を有する。同様に、現像カートリッジ５０は、現像カートリッジ５０がスロット２２Ｂに装着された状態において、第１方向に延びて現像ガイド溝に嵌る現像突起を有する。
なお、本体筐体２がドラムガイド突起を有する場合、第２方向におけるドラムガイド突起の幅が、開口２２Ａから前記本体筐体２の内部に向かうにつれて広くなる。そして、ドラムカートリッジ４０は、第２方向におけるドラム溝の幅が、ドラムカートリッジ４０がスロット２２Ｂに装着された状態において、開口２２Ａから本体筐体２の内部に向かうにつれて広くなる。
また、本体筐体２が現像ガイド溝を有する場合、第２方向における現像ガイド溝の幅が、開口２２Ａから本体筐体２の内部に向かうにつれて狭くなる。そして、現像カートリッジ５０は、第２方向における現像突起の幅が、現像カートリッジ５０がスロット２２Ｂに装着された状態において、開口２２Ａから本体筐体２の内部に向かうにつれて狭くなる。
【００７２】
また、本体筐体２は、ドラムガイド溝と現像ガイド溝を有し、ドラムカートリッジ４０がドラム突起を有し、現像カートリッジ５０が現像突起を有する構成としてもよい。
同様に、本体筐体２は、ドラムガイド突起と現像ガイド突起を有し、ドラムカートリッジ４０がドラム溝を有し、現像カートリッジ５０が現像溝を有する構成としてもよい。
さらに、本体筐体２は、ドラムガイド溝とドラムガイド突起、現像ガイド溝と現像ガイド突起を有する構成としてもよい。
【００７３】
前記実施形態では、カートリッジ案内部２Ｂの上面のドラムガイド面２５および現像ガイド面２７が、開口２２Ａから本体筐体２の内部に向かうにつれて中間転写ベルト６３に近づくように傾斜していたが、本発明はこのような構成に限定されない。
ドラムガイド面２５および現像ガイド面２７は、開口２２Ａから本体筐体２の内部に向かうにつれて中間転写ベルト６３に近づくように傾斜していない構成とすることもできる。例えば、ドラムガイド面２５および現像ガイド面２７は、中間転写ベルト６３の下面と平行な構成とすることもできる。この場合、ドラムカートリッジ４０は、ドラム接触面４５が感光ドラム４１の第１軸Ｘ１と平行になり、現像カートリッジ５０は、現像接触面５５が現像ローラ５１の第２軸Ｘ２と平行になる。
【００７４】
前記実施形態では、本体筐体２の側壁２Ａが第１突起Ｄ１と第２突起Ｄ２を有し、カバーＣが第１突起Ｃ１と第２突起Ｃ２有したが、本発明はこのような構成に限定されない。
例えば、本体筐体２の側壁２Ａは、第１突起Ｄ１に代えて第１長穴を有し、第２突起Ｄ２に代えて第２長穴を有する構成とすることもできる。この場合、ドラムカートリッジ４０は、ドラムカートリッジ４０が本体筐体２に装着された状態において、第１長穴に嵌るドラム突起を有する。同様に、現像カートリッジ５０は、現像カートリッジ５０が本体筐体２に装着された状態において、第２長穴に嵌る現像突起を有する。
カバーＣも同様に、第１突起Ｃ１と第１長穴、第２突起Ｃ２と第２長穴を入れ替えてもよい。この場合、ドラムカートリッジ４０はドラム突起を有し、現像カートリッジ５０は現像突起を有する。また、入口（開口２２Ａ）側と奥（側壁２Ａ）側で異なる組み合わせとすることもできる。
【００７５】
前記実施形態では、本体筐体２の４つのドラムガイド溝２４が同一形状を有し、４つの現像ガイド突起２６が同一形状を有していた。そして、４つのドラムカートリッジ４０と４つの現像カートリッジ５０が、それぞれ同一形状を有していた。しかしながら、本発明はこのような構成に限定されない。
例えば、現像カートリッジ５０は、４つの現像カートリッジを含み、それぞれが異なる幅の現像溝または現像突起を有する構成とすることができる。一方、ドラムカートリッジ４０は、４つのドラムカートリッジを含み、それぞれが同一幅のドラム突起またはドラム溝を有する構成とすることができる。
【００７６】
より詳細には、図８の第１変形例に示すように、現像カートリッジ５０は、４つの現像カートリッジ５０Ｋ、５０Ｙ、５０Ｍ、５０Ｃを含む。このうち、例えば、ブラック用の現像カートリッジ５０Ｋが、第１色の現像剤を収容する第１現像カートリッジである。そして、他の現像カートリッジ５０Ｙ、５０Ｍ、５０Ｃが、第１色とは異なる第２色の現像剤を収容する第２現像カートリッジである。
図８に示すように、現像カートリッジ５０Ｋの現像溝５６の幅は、現像カートリッジ５０Ｙの現像溝５６、現像カートリッジ５０Ｍの現像溝５６、現像カートリッジ５０Ｃの現像溝５６の幅よりも広くなっている。詳しくは、現像カートリッジ５０Ｋの装着方向先端側の幅が、他の現像カートリッジ５０Ｙ、５０Ｍ、５０Ｃの装着方向先端側の幅よりも広くなっている。なお、現像カートリッジ５０Ｙ、５０Ｍ、５０Ｃの現像溝５６の幅は、トナーの色ごとに異なる構成としてもよい。
【００７７】
一方、ドラムカートリッジ４０は、４つのドラムカートリッジ４０Ｋ、４０Ｙ、４０Ｍ、４０Ｃを含む。このうちブラック用のドラムカートリッジ４０Ｋが、第１現像カートリッジと対応する第１ドラムカートリッジである。そして、他のドラムカートリッジ４０Ｙ、４０Ｍ、４０Ｃが、第２現像カートリッジと対応する第２ドラムカートリッジである。
トナーの色に関わらず第２方向におけるドラムカートリッジ４０のドラム突起４６の長さ（幅）は、すべて同じである。詳しくは、現像カートリッジ５０Ｋ、５０Ｙ、５０Ｍ、５０Ｃの装着方向先端側の幅は、すべて等しくなっている。
【００７８】
本体筐体２は、カートリッジ案内部２Ｂの上面に、ブラック用のドラムカートリッジ４０Ｋをガイドする第１ドラムガイド溝２４Ｋ、イエロー用のドラムカートリッジ４０Ｙをガイドする第２ドラムガイド溝２４Ｙ、マゼンタ用のドラムカートリッジ４０Ｍをガイドする第２ドラムガイド溝２４Ｍ、シアン用のドラムカートリッジ４０Ｃをガイドする第２ドラムガイド溝２４Ｃを有している。第２方向における第１ドラムガイド溝２４Ｋの長さは、第２方向における第２ドラムガイド溝２４Ｙ、２４Ｍ、２４Ｃの長さと同じである。詳しくは、第１ドラムガイド溝２４Ｋと第２ドラムガイド溝２４Ｙ、２４Ｍ、２４Ｃは、開口２２Ａ側の幅がすべて等しくなっている。
また、本体筐体２は、カートリッジ案内部２Ｂの上面に、ブラック用の現像カートリッジ５０Ｋを案内する第１現像ガイド突起２６Ｋ、イエロー用の現像カートリッジ５０Ｙを案内する第２現像ガイド突起２６Ｙ、マゼンタ用の現像カートリッジ５０Ｍを案内する第２現像ガイド突起２６Ｍ、シアン用の現像カートリッジ５０Ｃを案内する第２現像ガイド突起２６Ｃを有している。第１現像ガイド突起２６Ｋおよび第２現像ガイド突起２６Ｙ、２６Ｍ、２６Ｃの幅は、各現像カートリッジ５０の現像溝５６の幅に対応して異なっている。つまり、第２方向における第１現像ガイド突起２６Ｋの長さは、第２方向における第２現像ガイド突起２６Ｙ、２６Ｍ、２６Ｃの長さとは異なっている。詳しくは、第１現像ガイド突起２６Ｋの開口２２Ａ側の幅は、第２現像ガイド突起２６Ｙ、２６Ｍ、２６Ｃの開口２２Ａ側の幅よりも広くなっている。
【００７９】
前記した第１変形例の構成によれば、現像カートリッジ５０の異なる色に対応して、現像溝５６の第２方向における幅が異なるため、現像カートリッジ５０の差し間違いを防止することができる。
また、共通のドラムカートリッジ４０を複数の現像カートリッジ５０に対応して使用することができるので、製造コストを削減することができる。
【００８０】
前記した第１変形例の構成において、本体筐体２は、第１ドラムガイド溝２４Ｋおよび第２ドラムガイド溝２４Ｙ、２４Ｍ、２４Ｃに代えて、第１ドラムガイド突起および第２ドラムガイド突起を有する構成とすることもできる。また、本体筐体２は、第１現像ガイド突起２６Ｋおよび第２現像ガイド突起２６Ｙ、２６Ｍ、２６Ｃに代えて、第１現像ガイド溝および第２現像ガイド溝を有する構成とすることもできる。
この場合、第１ドラムカートリッジ４０Ｋは、スロット２２Ｂに装着された状態において、第１方向に延びて第１ドラムガイド突起が嵌る第１ドラム溝を有し、第２ドラムカートリッジ４０Ｙ、４０Ｍ、４０Ｃは、スロット２２Ｂに装着された状態において、第１方向に延びて第２ドラムガイド突起が嵌る第２ドラム溝を有する。
同様に、第１現像カートリッジ５０Ｋは、スロット２２Ｂに装着された状態において、第１方向に延びて第１現像ガイド溝に嵌る第１現像突起を有し、第２現像カートリッジ５０Ｙ、５０Ｍ、５０は、スロット２２Ｂに装着された状態において、第１方向に延びて第２現像ガイド溝に嵌る第２現像突起を有する。
そして、第２方向における第１ドラムガイド突起の長さは、第２方向における第２ドラムガイド突起の長さと同じである。また、第２方向における第１現像ガイド溝の長さは、第２方向における第２現像ガイド溝の長さとは異なっている。
【００８１】
以下、図９および図１０を参照して、第２変形例から第６変形例について説明する。以下の説明において、前記実施形態と同様の構成要素については同一符号を付し、詳細な説明を省略する。
【００８２】
図９（ａ）に示すように、第２変形例の構成では、本体筐体２は、カートリッジ案内部２Ｂの上面にドラムガイド溝１２４と現像ガイド突起１２６を有している。
第２方向におけるドラムガイド溝１２４の幅は、開口２２Ａから側壁２Ａに向かう途中まで、本体筐体２の内部に向かうにつれてテーパー状に狭くなり、その後、一定の幅を有している。
第２方向における現像ガイド突起１２６の幅は、開口２２Ａから側壁２Ａに向かう途中まで、本体筐体２の内部に向かうにつれてテーパー状に広くなり、その後、一定の幅を有している。
そして、ドラムカートリッジ４０は、ドラムガイド溝１２４の形状と対応するドラム突起１４６を有する。現像カートリッジ５０は、現像ガイド突起１２６の形状と対応する現像溝１５６を有する。
このような構成でも、ドラムカートリッジ４０および現像カートリッジ５０が、入口（開口２２Ａ）側の大きな寸法差に起因して本体筐体２に装着されやすくなる。
【００８３】
図９（ｂ）に示すように、第３変形例の構成では、本体筐体２は、第２変形例と同様のドラムガイド溝１２４と現像ガイド突起１２６を有している。
一方、ドラムカートリッジ４０のドラム突起２４６は、ドラムガイド溝１２４の直線部分の幅に対応する一定の幅を有している。現像カートリッジ５０の現像溝２５６は、現像ガイド突起１２６の直線部分の幅に対応する一定の幅を有している。
このような構成でも、ドラムカートリッジ４０および現像カートリッジ５０が、入口側の大きな寸法差に起因して本体筐体２に装着されやすくなる。
【００８４】
図９（ｃ）に示すように、第４変形例の構成では、本体筐体２は、カートリッジ案内部２Ｂの上面にドラムガイド溝３２４と現像ガイド突起３２６を有している。
第２方向におけるドラムガイド溝３２４の幅は、開口２２Ａから側壁２Ａまで、本体筐体２の内部に向かうにつれて階段状に狭くなっている。
第２方向における現像ガイド突起３２６の幅は、開口２２Ａから側壁２Ａまで、本体筐体２の内部に向かうにつれて階段状に広くなっている。
そして、ドラムカートリッジ４０は、ドラムガイド溝３２４の形状と対応するドラム突起３４６を有する。現像カートリッジ５０は、現像ガイド突起３２６の形状と対応する現像溝３５６を有する。
このような構成でも、ドラムカートリッジ４０および現像カートリッジ５０が、入口側の大きな寸法差に起因して本体筐体２に装着されやすくなる。
【００８５】
図１０（ａ）に示すように、第５変形例の構成では、本体筐体２は、カートリッジ案内部２Ｂの上面にドラムガイド溝４２４と現像ガイド突起４２６を有している。
第２方向におけるドラムガイド溝４２４の幅は、開口２２Ａから側壁２Ａまで一定の幅となっている。
同様に、第２方向における現像ガイド突起４２６の幅は、開口２２Ａから側壁２Ａまで一定の幅となっている。
そして、ドラムカートリッジ４０は、第２方向におけるドラム突起４４６の幅が、開口２２Ａから側壁２Ａに向かう途中まではドラムガイド溝４２４の幅と対応する一定の幅を有し、その後、側壁２Ａに向かうにつれてテーパー状に狭くなっている。
現像カートリッジ５０は、第２方向における現像溝４５６の幅が、開口２２Ａから側壁２Ａに向かう途中までは現像ガイド突起４２６の幅と対応する一定の幅を有し、その後、側壁２Ａに向かうにつれてテーパー状に広くなっている。
このような構成でも、ドラムカートリッジ４０および現像カートリッジ５０が、入口側の大きな寸法差に起因して本体筐体２に装着されやすくなる。
【００８６】
図１０（ｂ）に示すように、第６変形例の構成では、本体筐体２は、カートリッジ案内部２Ｂの上面にドラムガイド溝５２４と現像ガイド突起５２６を有している。
第２方向におけるドラムガイド溝５２４の幅は、開口２２Ａおよび側壁２Ａから本体筐体２の内部に向かうにつれてテーパー状に狭くなり、中央部分で一定の幅となっている。
一方、第２方向における現像ガイド突起５２６の幅は、開口２２Ａから側壁２Ａまで一定の幅となっている。
そして、ドラムカートリッジ４０のドラム突起５４６は、開口２２Ａから側壁２Ａまで一定の幅となっている。
現像カートリッジ５０の現像溝５５６は、開口２２Ａおよび側壁２Ａから本体筐体２の内部に向かうにつれてテーパー状に狭くなり、中央部分が現像ガイド突起５２６の幅に対応して一定の幅となっている。
このような構成でも、ドラムカートリッジ４０および現像カートリッジ５０が、入口側の大きな寸法差に起因して本体筐体２に装着されやすくなる。
【００８７】
前記実施形態および各変形例では、カラープリンタ１に本発明を適用したが、本発明はこれに限定されず、その他の画像形成装置、例えばモノクロのプリンタ、複写機、複合機などに本発明を適用してもよい。
【００８８】
前記した実施形態および変形例で説明した各要素を、任意に組み合わせて実施してもよい。
【符号の説明】
【００８９】
１      カラープリンタ
２      本体筐体
２２Ａ  開口
２２Ｂ  スロット
２４    ドラムガイド溝
２６    現像ガイド突起
４０    ドラムカートリッジ
４１    感光ドラム
４６    ドラム突起
５０    現像カートリッジ
５１    現像ローラ
５６    現像溝
【図１】
2020140199.tif 000003
【図２】
2020140199.tif 000004
【図３】
2020140199.tif 000005
【図４】
2020140199.tif 000006
【図５】
2020140199.tif 000007
【図６】
2020140199.tif 000008
【図７】
2020140199.tif 000009
【図８】
2020140199.tif 000010
【図９】
2020140199.tif 000011
【図１０】
2020140199.tif 000012